(57)【要約】【課題】映像データの表示装置側において、可視光映像と、近赤外光映像の合成表示や、それらの容易な切り替え表示機能を持たせ、的確で迅速な診断が可能となる映像データ表示装置を提供すること。【解決手段】映像データ表示装置１０を、信号回路制御部３６と、フットスイッチ部３８と、近赤外光映像データ記憶メモリ部２０と、可視光映像データ記憶メモリ部２２と、近赤外光映像データの画質調整を行う近赤外光映像画質調整部２４と、可視光映像データの画質調整を行う可視光映像画質調整部２６と、近赤外光映像データのサイズ変更処理を行うことができる近赤外光映像サイズ変更部２８と、可視光映像データのサイズ変更処理を行うことができる可視光映像サイズ変更部３０と、近赤外光映像データと、可視光映像データに対して、所定の条件において処理を行う映像データ処理部３２と、映像データを表示する表示部３４を備えるものとした。【選択図】図１
2018130375.tif 000002
【特許請求の範囲】
【請求項１】
近赤外光映像及び可視光映像を撮像可能な撮像装置に接続され、
信号回路と、
前記信号回路に具備され、処理指令の信号を出力可能とする信号回路制御部と、
前記信号回路制御部に対し、前記処理指令の信号を出力させるスイッチ部と、
を備えるとともに、
前記信号回路は、さらに、
前記撮像装置により近赤外光にて撮像された近赤外光映像データを記憶する近赤外光映像データ記憶メモリ部と、
前記撮像装置により可視光にて撮影された可視光映像データを記憶する可視光映像データ記憶メモリ部と、
予め、近赤外光映像データに対して画質調整を行う設定にされている場合には、前記信号回路制御部から処理指令の信号が出力されると、前記近赤外光映像データ記憶メモリ部からの近赤外光映像データに対して画質調整を行い出力する近赤外光映像画質調整部と、
予め、可視光映像データに対して画質調整を行う設定にされている場合には、前記信号回路制御部から処理指令の信号が出力されると、前記可視光映像データ記憶メモリ部からの可視光映像データに対して画質調整を行い出力する可視光映像画質調整部と、
予め、近赤外光映像データに対して映像サイズの拡大又は縮小のサイズ変更処理を行う設定にされている場合には、前記信号回路制御部から処理指令の信号が出力されると、前記近赤外光映像画質調整部から出力される近赤外光映像データに対して映像サイズの拡大又は縮小のサイズ変更処理を行う出力する近赤外光映像サイズ変更部と、
予め、可視光映像データに対して映像サイズの拡大又は縮小のサイズ変更処理を行う設定にされている場合には、前記信号回路制御部から処理指令の信号が出力されると、前記可視光映像画質調整部から出力される可視光映像データに対して映像サイズの拡大又は縮小のサイズ変更処理を行い出力する可視光映像サイズ変更部と、
前記近赤外光映像サイズ変更部から出力される近赤外光映像データと、前記可視光映像サイズ変更部から出力される可視光映像データに対して映像データ処理を行うことができる映像データ処理部と、
を具備し、
且つ、前記映像データ処理部から出力される映像データを表示する表示部を備え、
前記映像データ処理部は、前記信号回路制御部から処理指令の信号が出力された場合には、以下の（１）〜（４）のうち、何れか１つの映像データ処理を行うことを特徴とする映像データ表示装置。
（１） 前記映像データ処理部が、予め、映像データの切り替えを行う設定にされている場合には、前記近赤外光映像データと、前記可視光映像データのうち、何れか一方を切り替え可能に選択し、映像データとして出力する
（２） 前記映像データ処理部が、予め、映像データの重畳合成を行う設定にされている場合には、前記近赤外光映像データと、前記可視光映像データを重畳合成し、映像データとして出力する
（３） 前記映像データ処理部が、予め、映像データの分割表示を行う設定にされている場合には、前記近赤外光映像データと、前記可視光映像データをサイドバイサイド方式で分割画面となるよう合成し、映像データとして出力する
（４）前記映像データ処理部が、予め、映像データの混在表示を行う設定にされている場合には、前記近赤外光映像データと、前記可視光映像データをピクチャーインピクチャー方式で混在画面となるよう合成し、映像データとして出力する
【請求項２】
前記近赤外光映像データ記憶メモリ部と、前記可視光映像データ記憶メモリ部は、それぞれ、予め、キャプチャーデータを取得する設定にされている場合には、前記信号回路制御部から処理指令の信号が出力された場合には、前記近赤外光映像データ記憶メモリ部は、前記撮像装置から入力される映像データに基づく静止画データを記憶し、前記可視光映像データ記憶メモリ部は、前記撮像装置から入力される映像データに基づく静止画データを記憶し、前記映像データ処理部は、前記近赤外光映像データ記憶メモリ部に記憶されている静止画データを近赤外光映像データとして、または、前記可視光映像データ記憶メモリ部に記憶されている静止画データを可視光映像データとして処理を行えるよう構成されていることを特徴とする請求項１記載の映像データ表示装置。
【請求項３】
前記映像データ処理部が、前記（２）の処理を行う場合には、前記近赤外光映像データを奇数ラインに、前記可視光映像データを偶数ラインに配置するよう重畳合成し、出力処理することを特徴とする請求項１又は２記載の映像データ表示装置。
【請求項４】
前記撮像装置が、近赤外光映像用の撮像素子と、可視光映像用の撮像素子を備える撮像装置である場合であって、且つ、前記映像データ処理部が、前記（２）の処理を行う場合には、前記近赤外光映像サイズ変更部に対しては、予め設定されているサイズへ拡大又は縮小させるサイズ変更処理を行わせ、前記映像データ処理部に対しては、前記近赤外光映像データを前記可視光映像データの映像位置を合わせるよう位置制御させることを特徴とする請求項１〜３何れか１項記載の映像データ表示装置。
【請求項５】
前記映像データ処理部が、前記（３）または（４）の処理を行う場合には、それぞれの処理における各方式に応じて、前記近赤外光映像サイズ変更部は、前記近赤外光映像データのサイズ変更を、前記可視光映像サイズ変更部は、前記可視光映像データのサイズ変更を行うことを特徴とする請求項１〜４何れか１項記載の映像データ表示装置。
【請求項６】
前記近赤外光映像画質調整部は、予め、近赤外光映像データが含む色データを緑化する画質調整を行う設定にされている場合には、前記信号回路制御部から処理指令の信号が出力されると、前記近赤外光映像データが含む色データを緑化する画質調整を行うことを特徴とする請求項１〜５何れか１項記載の映像データ表示装置。
【請求項７】
前記近赤外光映像画質調整部は、予め、近赤外光映像データのゲイン調整をする画質調整を行う設定にされている場合には、前記信号回路制御部から処理指令の信号が出力されると、前記近赤外光映像データをゲイン調整により画質調整を行うことを特徴とする請求項１〜６何れか１項記載の映像データ表示装置。  
【請求項８】
前記可視光映像画質調整部は、予め、可視光映像データのＲ／Ｇ／Ｂのゲイン調整、または、バイアス処理をする画質調整を行う設定にされている場合には、前記信号回路制御部から処理指令の信号が出力されると、前記可視光映像データのＲ／Ｇ／Ｂのゲイン調整処理、または、バイアス処理により画質調整を行うことを特徴とする請求項１〜７何れか１項記載の映像データ表示装置。
【請求項９】
前記スイッチ部は、フットスイッチであることを特徴とする請求項１〜８何れか１項記載の映像データ表示装置。
【発明の詳細な説明】
【技術分野】
【０００１】
本発明は、特に医療用に適する近赤外光映像と、可視光映像のオーバーレイ機能を有した映像データ表示装置に関するものである。
【背景技術】
【０００２】
近年、医療市場では、可視光映像の他、近赤外光映像を使用することが増えており、可視光映像に、近赤外光映像のオーバーレイ表示を求める声が強いが、現状では、可視光カメラと近赤外光カメラの２台方式、可視光・近赤外光用カメラの１台方式、可視光及び近赤外光両用カメラの１台方式が使用されている。
【０００３】
ここで、図６、７及び８に示すように、まず、可視光カメラと近赤外光映像カメラの２台方式（顕微鏡外付けタイプと、顕微鏡内蔵タイプがある）では、信号を切り替えてモニタへ表示させている。続いて、可視光・近赤外光共用カメラの１台方式では、カメラ側で可視光撮影、近赤外光撮影へ切り替えることにより、モニタへ表示させている。また、可視光及び近赤外光両用カメラの１台方式では、可視光映像、近赤外光映像、合成映像（オーバーレイ映像）を切り替えることにより、モニタへ表示させている。
【０００４】
ところで、上記の装置を脳神経外科で使用する場合、一般的には、インドシアニングリーンの試薬を希釈し、血管へ投与して、励起光７４０ｎｍ〜８００ｎｍを照射することにより、８２０ｎｍ〜８７０ｎｍを発光する性質を利用して、血流観察を行う手法が用いられている。
【０００５】
そのため、近赤外光による観察は、ほんの十数秒という短時間であり、実映像の観察はするが、実際には、録画した映像を再生して何度か確認するものである。この場合、近赤外光映像と、可視光映像は、瞬時に切り替えることができないという問題が生じてしまっている。
【０００６】
また、例えば、上記の可視光及び近赤外光両用カメラの１台方式では、記録した再生映像を重畳する機能がないため、近赤外光映像と、可視光映像の切り替えによる再生確認が必要となり、使い勝手が悪いとされている。そして、血流観察には、近赤外光映像が鮮明で分かり易いが、合成映像のみでは、部位特定し易い反面、血流観察では、分かりづらいという問題がある。
【０００７】
また、可視光及び近赤外光同時出力のカメラ１台方式での合成映像を除き、近赤外光映像だけでは、部位の特定が難しいという問題がある。さらに、近赤外光映像は、希釈濃度や、励起光強度により映像レベルが異なり、血管部位が発光するが、血管以外も発光した光によって反射した部位も少し明るく写るため、血管であるかの識別がし難いという問題がある。
【０００８】
また、可視光カメラと、近赤外光カメラの２台方式の場合は、可視光カメラと近赤外光カメラのセンサーサイズが違うため、表示サイズや映像の位置が異なり、映像を切り替えるだけでは、位置特定が難しいという問題がある。さらに、一般的には、近赤外光映像は白黒、可視光映像はカラーであることから、映像重畳する上では、そのままミックスすると、判断すらできない映像となる可能性が高い。
【０００９】
そのため、従来から、様々な技術的改良がされてきており、例えば、特許文献１には、可視光の被観察部への照射によって該被観察部から発せられた光に基づく可視画像と前記可視光とは異なる波長帯域の特殊光の前記被観察部への照射によって該被観察部から発せられた光に基づく特殊画像とを取得する画像取得部と、前記可視画像に含まれる輪郭を抽出して抽出画像を生成する抽出画像生成部と、該抽出画像生成部によって生成された抽出画像を前記特殊画像上に重ね合わせた重ね合わせ画像を生成する重ね合わせ処理部と、該重ね合わせ処理部によって生成された重ね合わせ画像を表示する表示部とを備えたものであることを特徴とする画像表示装置が開示されている。
【００１０】
そして、この画像表示装置によれば、生成した重ね合わせ画像を表示部により観察することにより、特殊画像における発光部分の可視画像における位置を正確に把握することができ、且つ、発光部分の階調などの情報を正確に表した画像を表示することができるとしている。
【００１１】
また、特許文献２には、複数の波長帯域を撮像する撮像装置において、近赤外光帯域の光像を撮像する第一の撮像手段と、可視光帯域の光像を撮像する第二の撮像手段と、前記第一の撮像手段により取得した近赤外画像に対し、必要情報の抽出処理を行う画像処理手段と、前記第二の撮像手段により取得した可視画像と、前記画像処理手段にてえられた画像を所定の割合にて加算し合成画像を生成する合成画像生成手段とを備えたことを特徴とする撮像装置が開示されている。そして、この技術によれば、撮像対象の状態を分かり易く表示する合成画像を取得することができるとしている。
【先行技術文献】
【特許文献】
【００１２】
【特許文献１】特許第５３８５３５０号公報
【特許文献２】特開２０１５−２９８４１号公報
【発明の概要】
【発明が解決しようとする課題】
【００１３】
しかしながら、上記特許文献１に開示されている画像表示装置は、全体として大がかりな装置となってしまい、特に、医療現場で使い勝手が悪いとされている。また、映像を録画する機能がないため、近赤外光による再生映像の確認を行う点で、非常に不便であり、さらに、再生映像を合成処理させる機能がないことから、部位特定に有利な合成映像確認を行う点で、不便である。
【００１４】
さらに、上記特許文献２に開示されている撮像装置は、上記特許文献１と同様に、全体として大がかりな装置となってしまうとともに、やはり、映像を録画する機能を持たないため、近赤外光による再生映像の確認を行う点で、非常に不便であり、さらに、再生映像を合成処理させる機能もないことから、部位特定に有利な合成映像確認を行う点でも、極めて不利である。
【００１５】
本発明は、上述の課題を解決するためのもので、映像データの表示装置側において、可視光映像と、近赤外光映像の合成表示（重畳や、ピクチャーインピクチャー等）や、それらの容易な切り替え表示機能を持たせ、必要に応じて映像選択が可能となり、的確で迅速な診断が可能となる映像データ表示装置を提供することにある。
【課題を解決するための手段】
【００１６】
上述の課題に対応するため、本発明は、以下の技術的手段を講じている。
即ち、請求項１記載の発明は、近赤外光映像及び可視光映像を撮像可能な撮像装置に接続され、信号回路と、前記信号回路に具備され、処理指令の信号を出力可能とする信号回路制御部と、前記信号回路制御部に対し、前記処理指令の信号を出力させるスイッチ部とを備えるとともに、前記信号回路は、さらに、前記撮像装置により近赤外光にて撮像された近赤外光映像データを記憶する近赤外光映像データ記憶メモリ部と、前記撮像装置により可視光にて撮影された可視光映像データを記憶する可視光映像データ記憶メモリ部と、予め、近赤外光映像データに対して画質調整を行う設定にされている場合には、前記信号回路制御部から処理指令の信号が出力されると、前記近赤外光映像データ記憶メモリ部からの近赤外光映像データに対して画質調整を行い出力する近赤外光映像画質調整部と、予め、可視光映像データに対して画質調整を行う設定にされている場合には、前記信号回路制御部から処理指令の信号が出力されると、前記可視光映像データ記憶メモリ部からの可視光映像データに対して画質調整を行い出力する可視光映像画質調整部と、予め、近赤外光映像データに対して映像サイズの拡大又は縮小のサイズ変更処理を行う設定にされている場合には、前記信号回路制御部から処理指令の信号が出力されると、前記近赤外光映像画質調整部から出力される近赤外光映像データに対して映像サイズの拡大又は縮小のサイズ変更処理を行う出力する近赤外光映像サイズ変更部と、予め、可視光映像データに対して映像サイズの拡大又は縮小のサイズ変更処理を行う設定にされている場合には、前記信号回路制御部から処理指令の信号が出力されると、前記可視光映像画質調整部から出力される可視光映像データに対して映像サイズの拡大又は縮小のサイズ変更処理を行い出力する可視光映像サイズ変更部と、前記近赤外光映像サイズ変更部から出力される近赤外光映像データと、前記可視光映像サイズ変更部から出力される可視光映像データに対して映像データ処理を行うことができる映像データ処理部とを具備し、且つ、前記映像データ処理部から出力される映像データを表示する表示部を備え、前記映像データ処理部は、前記信号回路制御部から処理指令の信号が出力された場合には、以下の（１）〜（４）のうち、何れか１つの映像データ処理を行うことを特徴とする映像データ表示装置である。
（１） 前記映像データ処理部が、予め、映像データの切り替えを行う設定にされている場合には、前記近赤外光映像データと、前記可視光映像データのうち、何れか一方を切り替え可能に選択し、映像データとして出力する
（２） 前記映像データ処理部が、予め、映像データの重畳合成を行う設定にされている場合には、前記近赤外光映像データと、前記可視光映像データを重畳合成し、映像データとして出力する
（３） 前記映像データ処理部が、予め、映像データの分割表示を行う設定にされている場合には、前記近赤外光映像データと、前記可視光映像データをサイドバイサイド方式で分割画面となるよう合成し、映像データとして出力する
（４）前記映像データ処理部が、予め、映像データの混在表示を行う設定にされている場合には、前記近赤外光映像データと、前記可視光映像データをピクチャーインピクチャー方式で混在画面となるよう合成し、映像データとして出力する。
【００１７】
また、請求項２記載の発明は、請求項１記載の映像データ表示装置であって、前記近赤外光映像データ記憶メモリ部と、前記可視光映像データ記憶メモリ部は、それぞれ、予め、キャプチャーデータを取得する設定にされている場合には、前記信号回路制御部から処理指令の信号が出力された場合には、前記近赤外光映像データ記憶メモリ部は、前記撮像装置から入力される映像データに基づく静止画データを記憶し、前記可視光映像データ記憶メモリ部は、前記撮像装置から入力される映像データに基づく静止画データを記憶し、前記映像データ処理部は、前記近赤外光映像データ記憶メモリ部に記憶されている静止画データを近赤外光映像データとして、または、前記可視光映像データ記憶メモリ部に記憶されている静止画データを可視光映像データとして処理を行えるよう構成されていることを特徴としている。
【００１８】
そして、請求項３記載の発明は、請求項１又は２記載の映像データ表示装置であって、前記映像データ処理部が、前記（２）の処理を行う場合には、前記近赤外光映像データを奇数ラインに、前記可視光映像データを偶数ラインに配置するよう重畳合成し、出力処理することを特徴としている。
【００１９】
また、請求項４記載の発明は、請求項１〜３何れか１項記載の映像データ表示装置であって、前記撮像装置が、近赤外光映像用の撮像素子と、可視光映像用の撮像素子を備える撮像装置である場合であって、且つ、前記映像データ処理部が、前記（２）の処理を行う場合には、前記近赤外光映像サイズ変更部に対しては、予め設定されているサイズへ拡大又は縮小させるサイズ変更処理を行わせ、前記映像データ処理部に対しては、前記近赤外光映像データを前記可視光映像データの映像位置を合わせるよう位置制御させることを特徴としている。
【００２０】
さらに、請求項５記載の発明は、請求項１〜４何れか１項記載の映像データ表示装置であって、前記映像データ処理部が、前記（３）または（４）の処理を行う場合には、それぞれの処理における各方式に応じて、前記近赤外光映像サイズ変更部は、前記近赤外光映像データのサイズ変更を、前記可視光映像サイズ変更部は、前記可視光映像データのサイズ変更を行うことを特徴としている。
【００２１】
また、請求項６記載の発明は、請求項１〜５何れか１項記載の映像データ表示装置であって、前記近赤外光映像画質調整部は、予め、近赤外光映像データが含む色データを緑化する画質調整を行う設定にされている場合には、前記信号回路制御部から処理指令の信号が出力されると、前記近赤外光映像データが含む色データを緑化する画質調整を行うことを特徴としている。
【００２２】
さらに、請求項７記載の発明は、請求項１〜６何れか１項記載の映像データ表示装置であって、前記近赤外光映像画質調整部は、予め、近赤外光映像データのゲイン調整をする画質調整を行う設定にされている場合には、前記信号回路制御部から処理指令の信号が出力されると、前記近赤外光映像データをゲイン調整により画質調整を行うことを特徴としている。
【００２３】
またさらに、請求項８記載の発明は、請求項１〜７何れか１項記載の映像データ表示装置であって、前記可視光映像画質調整部は、予め、可視光映像データのＲ／Ｇ／Ｂのゲイン調整、または、バイアス処理をする画質調整を行う設定にされている場合には、前記信号回路制御部から処理指令の信号が出力されると、前記可視光映像データのＲ／Ｇ／Ｂのゲイン調整処理、または、バイアス処理により画質調整を行うことを特徴としている。そして、請求項９記載の発明は、請求項１〜８何れか１項記載の映像データ表示装置であって、前記スイッチ部は、フットスイッチであることを特徴としている。
【発明の効果】
【００２４】
本発明によれば、可視光映像と、近赤外光映像の合成表示（重畳や、ピクチャーインピクチャー等）や、それらの容易な切り替え表示が可能であるため、特に、医療現場等において、必要に応じて映像選択が可能となり、的確で迅速な診断が可能となる。
【図面の簡単な説明】
【００２５】
【図１】本発明に係る映像データ表示装置の実施形態を示したブロック構成図である。
【図２】本発明に係る映像データ表示装置の実施形態において、可視光映像データと、近赤外光映像データを切り換える画面イメージ図である。
【図３】本発明に係る映像データ表示装置の実施形態において、可視光映像データと、近赤外光映像データを合成表示（重畳）させた状態を示した画面イメージ図である。
【図４】本発明に係る映像データ表示装置の実施形態において、可視光映像データと、近赤外光映像データを合成表示（サイドバイサイド）させた状態を示した画面イメージ図である。
【図５】本発明に係る映像データ表示装置の実施形態において、可視光映像データと、近赤外光映像データを合成表示（ピクチャーインピクチャー）させた状態を示した画面イメージ図である。
【図６】従来の可視光カメラと、近赤外線カメラの２台方式を示したブロック図である。
【図７】従来の可視光映像と、近赤外線映像の１台両用方式を示したブロック図である。
【図８】従来の可視光映像と、近赤外線映像の１台共用方式を示したブロック図である。
【発明を実施するための形態】
【００２６】
本発明に係る映像データ表示装置の実施形態について、図面を参照しながら説明する。本発明に係る映像データ表示装置の実施形態を示したブロック構成図、図２は、本発明に係る映像データ表示装置の実施形態において、可視光映像データと、近赤外光映像データを切り換える画面イメージ図である。
【００２７】
また、図３は、本発明に係る映像データ表示装置の実施形態において、可視光映像データと、近赤外光映像データを合成表示（重畳）させた状態を示した画面イメージ図、図４は、本発明に係る映像データ表示装置の実施形態において、可視光映像データと、近赤外光映像データ合成表示（サイドバイサイド）させた状態を示した画面イメージ図で、図５は、本発明に係る映像データ表示装置の実施形態において、可視光映像データと、近赤外光映像データを合成表示（ピクチャーインピクチャー）させた状態を示した画面イメージ図である。
【００２８】
符号については、１０が映像データ表示装置、１２が撮像装置、１４が近赤外光映像信号入力、１６が可視光映像信号入力、１８が信号回路、２０が近赤外光映像データ記憶メモリ部、２２が可視光映像データ記憶メモリ部、２４が近赤外光映像画質調整部、２６が可視光映像画質調整部、２８が近赤外光映像サイズ変更部、３０が可視光映像サイズ変更部、３２が映像データ処理部、３４が表示部、３６が信号回路制御部、３８がフットスイッチ部（スイッチ部）、４０が可視光映像データ、４２が近赤外光映像データ、４４が重畳合成映像データ、４６が記録装置を表している。
【００２９】
まず、図１に示すように、本実施形態における映像データ表示装置１０は、近赤外光映像及び可視光映像を撮像可能な撮像装置１２に接続され、信号回路１８と、信号回路１８に具備され、信号回路１８に対して、処理指令の信号を出力可能とする信号回路制御部３６と、信号回路制御部３６に対し、処理指令の信号を出力させるスイッチ部３８を備えている。
【００３０】
さらに、信号回路１８は、撮像装置１２により近赤外光にて撮像された近赤外光映像データを記憶する（メモリ配置する）近赤外光映像データ記憶メモリ部２０と、撮像装置１２により可視光にて撮影された可視光映像データを記憶する（メモリ配置する）可視光映像データ記憶メモリ部２２を具備している。
【００３１】
さらに、信号回路１８は、予め、近赤外光映像データに対して画質調整を行う設定にされている場合には、信号回路制御部３６から処理指令の信号が出力されると、近赤外光映像データ記憶メモリ部２０からの近赤外光映像データ（リアルタイムの近赤外光映像データ含む）に対して画質調整を行うことができる近赤外光映像画質調整部２４を具備している。なお、近赤外光映像画質調整部２４は、処理指令の信号が出力されない場合には、画質調整を行わずに、そのまま近赤外光映像データを出力する。
【００３２】
また、信号回路１８は、予め、可視光映像データに対して画質調整を行う設定にされている場合には、信号回路制御部３６から処理指令の信号が出力されると、可視光映像データ記憶メモリ部２２からの可視光映像データ（リアルタイムの可視光映像データの含む）に対して画質調整を行うことができる可視光映像画質調整部２６を具備している。なお、可視光映像画質調整部２６は、処理指令の信号が出力されない場合には、画質調整を行わずに、そのまま可視光映像データを出力する。
【００３３】
またさらに、信号回路１８は、予め、近赤外光映像データに対して映像サイズの拡大又は縮小のサイズ変更処理を行う設定にされている場合には、信号回路制御部３６から処理指令の信号が出力されると、近赤外光映像画質調整部２４から出力される近赤外光映像データに対して映像サイズの拡大又は縮小のサイズ変更処理を行うことができる近赤外光映像サイズ変更部２８を具備している。なお、近赤外光映像サイズ変更部２８は、処理指令の信号が出力されない場合には、サイズ変更処理を行わずに、そのまま近赤外光映像データを出力する。
【００３４】
そしてさらに、信号回路１８は、予め、可視光映像データに対して映像サイズの拡大又は縮小のサイズ変更処理を行う設定にされている場合には、信号回路制御部３６から処理指令の信号が出力されると、可視光映像画質調整部２６から出力される可視光映像データに対して映像サイズの拡大又は縮小のサイズ変更処理を行うことができる可視光映像サイズ変更部３０と、近赤外光映像サイズ変更部２８から入力される近赤外光映像データと、可視光映像サイズ変更部３０から入力される可視光映像データに対して映像データ処理を行うことができる映像データ処理部３２を具備している。また、本実施形態における映像データ表示装置１０は、映像データ処理部３２から出力される映像データを表示する表示部３４を備えている。
【００３５】
そして、本実施形態では、信号回路制御部３６から信号回路１８に対して、処理指令の信号が出力された場合には、映像データ処理部３２は、近赤外光映像データと、可視光映像データに対して、以下の（１）〜（４）の何れか１つの処理を行うものである。
【００３６】
即ち、（１）映像データ処理部３２が、予め、映像データの切り替えを行う設定にされている場合には、近赤外光映像データと、可視光映像データのうち、何れか一方を切り替え可能に選択し、映像データとして出力する。（２）映像データ処理部３２が、予め、映像データの重畳合成を行う設定にされている場合には、近赤外光映像データと、可視光映像データを重畳合成し、映像データとして出力する。
【００３７】
さらに、（３）映像データ処理部３２が、予め、映像データの分割表示を行う設定にされている場合には、近赤外光映像データと、可視光映像データをサイドバイサイド方式で分割画面となるよう合成し、映像データとして出力する。
（４）映像データ処理部３２が、予め、映像データの混在表示を行い設定にされている場合には、近赤外光映像データと、可視光映像データをピクチャーインピクチャー方式で混在画面となるよう合成し、映像データとして出力するというものである。
【００３８】
続いて、本実施形態における映像データ表示装置１０ついて詳細に説明していく。本実施形態における映像データ表示装置１０は、図１に示すように、撮像装置１２により撮像され生成される近赤外映像信号と、可視光映像信号は、それぞれ、近赤外光映像信号入力１４、可視光映像信号入力１６から信号回路１８内へと入力されていく。
【００３９】
ここで、本実施形態における撮像装置１２は、例えば、従来から用いられている可視光カメラと近赤外光映像カメラの２台方式や、可視光・近赤外光共用カメラの１台方式、そして、可視光及び近赤外光両用カメラの１台方式のうち、何れの方式によるカメラを用いても対応できるもので、これらの方式は、本発明を限定するものではない。
【００４０】
次に、近赤外光映像信号入力１４から入力されてなる近赤外光映像データは、近赤外光映像データ記憶メモリ部２０に記憶され、また、可視光映像信号入力１６から入力されてなる可視光映像データは、可視光映像データ記憶メモリ部２２に記憶される。なお、本実施形態では、近赤外光映像信号入力１４から入力されてなる近赤外光映像データは、記録装置４６により記録される構成となっている。
【００４１】
ここで、本実施形態では、信号回路１８には、信号回路制御部３６が接続されており、信号回路１８内に配置されている各構成（ブロック）に対し、所望の処理の指令を出す信号を送ることができるようになっており、さらに、信号回路制御部３６には、希望の指令を出す信号を信号回路制御部３６に出させるために用いるスイッチ部、本実施形態においては、フットスイッチ部３８が接続されている。このフットスイッチ部３８を用いれば、手動でスイッチを操作する必要がないため、例えば、手術が行われる医療現場などにおいて非常に有用なものとなる。なお、本発明は、フットスイッチによるものには限定されていない。
【００４２】
続いて、本実施形態においては、近赤外光映像データ記憶メモリ部２０と、可視光映像データ記憶メモリ部２２は、それぞれ、映像データのキャプチャーを取得する設定になっている場合には、信号回路制御部３６から、処理指令の信号を受けると、映像データに基づく静止画データを映像データ（近赤外光映像データ、可視光映像データ）として記憶することができるようになっている。
【００４３】
さらに、本実施形態における映像データ表示装置１０は、予め、近赤外光映像データに対して画質調整を行う設定になっている場合には、近赤外光映像データ記憶メモリ部２０に記憶されている近赤外光映像データや、記録装置４６に記録されている近赤外光映像データ（再生映像）に対して画質調整が行える近赤外光映像画質調整部２４と、予め、可視光映像データに対して画質調整を行う設定になっている場合には、可視光映像データ記憶メモリ部２２に記憶されている可視光映像データに対して画質調整が行える可視光映像画質調整部２６が備えられている。
【００４４】
この近赤外光映像画質調整部２４は、例えば、予め、近赤外光映像データが含む色データを緑化する画質調整を行う設定がされている場合には、信号回路制御部３６から、処理指令の信号を受けると、近赤外光映像データが含む色データを緑化する画質調整を行い、また、予め、近赤外光映像データのゲイン調整をする画質調整を行う設定がされている場合には、信号回路制御部３６から、処理指令の信号を受けると、近赤外光映像データのゲイン調整により画質調整を行うことができるようになっている。これは、近赤外光映像は、映像レベルが一定しないことがあるため、また、後述する近赤外光映像データと、可視光映像データの重畳合成の際に、白黒映像のままであると画像の判別がしにくいため、有効な画質調整である。
【００４５】
また、近赤外光映像の黒レベルを調整し、発光光の反射によってもたらされる不要な部分の表示を調整することもできる。なお、近赤外光映像画質調整部２４は、予め、各調整値を保存しておき、それを必要に応じて読み出すという機能を持つものである。
【００４６】
そして、可視光映像画質調整部２６は、予め、Ｒ／Ｇ／Ｂゲイン調整処理や、Ｒ／Ｇ／Ｂバイアスをかけることで画質処理を行う設定になっている場合には、信号回路制御部３６から、処理指令の信号を受けると、可視光映像データのＲ／Ｇ／Ｂのゲインを調整し、また、可視光映像データにＲ／Ｇ／Ｂのバイアスをかける処理をし、画質調整を行うようになっている。
【００４７】
続いて、本実施形態における映像データ表示装置１０は、予め、近赤外光映像データに対して、映像サイズの拡大又は縮小のサイズ変更処理を行う設定になっている場合には、信号回路制御部３６から、処理指令の信号を受けると、近赤外光映像画質調整部２４から出力される近赤外光映像データに対して、映像サイズの拡大又は縮小のサイズ変更処理を行うことができる近赤外光映像サイズ変更部２８と、予め、可視光映像データに対して、映像サイズの拡大又は縮小のサイズ変更処理を行う設定になっている場合には、信号回路制御部３６から、処理指令の信号を受けると、可視光映像画質調整部２６から出力される可視光映像データに対して、映像サイズの拡大又は縮小のサイズ変更処理を行うことができる可視光映像サイズ変更部３０を具備している。
【００４８】
一般的に、撮像装置１２が、近赤外光映像用の撮像素子と、可視光映像用の撮像素子を備えるものである場合には、それらの映像データは、映像位置の他、サイズが異なってしまう。そうすると、後述する近赤外光映像データと、可視光映像データの重畳合成の際に、不具合が生じてしまうため、近赤外光映像サイズ変更部２８に近赤外光映像データのサイズを予め設定されているサイズへと拡大又は縮小させるサイズ変更処理（例えば、可視光映像データの映像サイズに合わせて変更する処理）を行う設定にしておくことが好ましい。
【００４９】
また、後述する近赤外光映像データと、可視光映像データのサイドバイサイド表示（図４参照）や、ピクチャーインピクチャー表示（図５参照）を希望する場合には、近赤外光映像サイズ変更部２８と、可視光映像サイズ変更部３０が、それぞれの映像データを適するように、事前設定されているサイズに変更する処理を行うように設定することができる。なお、本実施形態においては、近赤外光映像サイズ変更部２８と、可視光映像サイズ変更部３０は、予め、サイズ変更処理を行う設定になっている場合には、信号回路制御部３６から、処理指令の信号を受けると、映像サイズの変更処理を行うものである。
【００５０】
続いて、本実施形態における映像データ表示装置１０は、近赤外光映像サイズ変更部２８から入力される近赤外光映像データと、可視光映像サイズ変更部３０から入力される可視光映像データに対して、所定の処理を行う映像データ処理部３２が備えられている。
【００５１】
具体的には、まず、（１）映像データ処理部３２が、予め、映像データの切り替えを行う設定にされている場合には、フットスイッチ部３８によって、信号回路制御部３６から出力された処理指令の信号を受けると、図２に示すように、可視光映像データ４０と、近赤外光映像データ４０のうち、何れか一方を切り替え可能に選択し、映像データとして表示部３４に向けて出力処理するものである。本図中では、可視光映像データ４０は、特定の部位の顕微鏡映像を示しており、近赤外光映像データ４２は、同様に特定の部位の顕微鏡映像において、欠陥部分（点線部分）が、発光し、血流が観察できる状態を示しているものである（以下、図３〜５も同様）。なお、出力される映像データは、再生動画（記録装置４６に記録されている動画）や、リアルタイム動画の何れも表示可能なものとなっている。
【００５２】
ここで、近赤外光映像データ記憶メモリ部２０や、可視光映像データ記憶メモリ部２２の何れか一方が、フットスイッチ部３８により信号回路制御部３６が出力した処理指令の信号を受け、キャプチャー処理により静止画データを記憶している場合には、静止画データを映像データとして、表示部３４に向けて出力することもできる。また、静止画と再生動画／リアルタイム動画との間で切り替え表示も可能となっている。
【００５３】
なお、近赤外光映像は、映像時間が短く、明るくなり、すぐに暗くなってしまうため、近赤外光映像データ記憶メモリ部２０に記憶させた映像データの再生映像が多く使用されるが、特に、血流監視を目的とする場合には、時間変化も観察の一部であるため、可視光映像データとの切り替えは、特に有用な機能となる。
【００５４】
さらに、例えば、顕微鏡として、従来の１台方式の映像装置１２を用いる場合には、近赤外光映像と、可視光映像は時間軸の違いがあるが、この時間軸との関連は、各記憶メモリ部（２０、２２）にあり、近赤外光映像の撮像の直前に可視光映像を可視光映像データ記憶メモリ部２２に記憶させることにより、映像データ処理部３２において、近赤外光映像データと、可視光映像データを同期させることができるため、映像が乱れることがなく、瞬時に切り替えが可能となっている。
【００５５】
また、（２）映像データ処理部３２が、予め、映像データの重畳合成を行う設定にされている場合には、フットスイッチ部３８によって、信号回路制御部３６から出力された処理指令の信号を受けると、図３に示すように、可視光映像データ４０と、近赤外光映像データ４２を重畳合成し、重畳合成映像データ４４として表示部３４に向けて出力処理するものである。
【００５６】
なお、例えば、可視光カメラと近赤外光映像カメラの２台方式の撮像装置１２を用いた場合の両映像や、近赤外光映像データ記憶メモリ部２０、可視光映像データ記憶メモリ部２２に記憶されている両映像は、互いに同期が取れていないが、映像データ処理部３２において、近赤外光映像データと、可視光映像データを同期させることで、映像が乱れることがなく、瞬時に重畳合成が可能となる。
【００５７】
前述のように、撮像装置１２が、近赤外光映像用の撮像素子と、可視光映像用の撮像素子を備えるものである場合には、それらの映像データは、映像位置の他、サイズが異なってしまい、近赤外光映像データと、可視光映像データの重畳合成の際には、近赤外光映像サイズ変更部２８によって、近赤外光映像データのサイズを可視光映像データの映像サイズに合わせる（変更する）処理を行うように、予め設定しておくことが好ましい。
【００５８】
また、近赤外光映像データと、可視光映像データの重畳合成の際には、近赤外光映像データが、白黒映像のままであると画像の判別がしにくいため、近赤外光映像画質調整部２４によって、近赤外光映像データの色データの緑化処理を行うように、予め設定しておくことが好ましい。ここで、信号回路制御部３６によって、近赤外光映像データ記憶メモリ部２０や、可視光映像データ記憶メモリ部２２の何れか一方が、静止画データ（キャプチャー）を記憶している場合には、予め設定しておくことにより、処理指令を受け、静止画と動画を重畳合成させることも可能である。また、静止画と再生動画／リアルタイム動画の重畳合成も可能となっている。
【００５９】
上記（１）の切り替え処理と同様に、近赤外光映像は、映像時間が短く、明るくなり、すぐに暗くなってしまうため、近赤外光映像データ記憶メモリ部２０に、明るい再生映像をキャプチャーさせる設定にすることが好ましい。記憶させた映像データの再生映像のキャプチャーが多く使用されるが、特に、血流監視を目的とする場合には、時間変化も観察の一部であるため、近赤外光映像データと、可視光映像データの重畳合成は有用な機能となる。なお、近赤外光映像データと、可視光映像データの重畳合成では、表示部３４において、近赤外光映像データを奇数ラインに、可視光映像データを偶数ラインに配置するよう両映像データをラインバイライン方式にて重畳合成し、出力表示させることが好ましい。これは、近赤外光映像データと、可視光映像データの単純なブレンドでは、視認に乏しいためである。
【００６０】
そして、（３）映像データ処理部３２が、予め、映像データの分割表示を行う設定にされている場合には、フットスイッチ部３８によって、信号回路制御部３６に出力された処理指令の信号を受けると、図４に示すように、可視光映像データ４０と、近赤外光映像データ４２をサイドバイサイド方式で分割画面となるよう合成し、映像データとして表示部３４に向けて出力処理する。
【００６１】
本処理でも同様に、映像データ処理部３２において、同期が取られていない近赤外光映像データと、可視光映像データを同期させることで、特に、従来から用いられている可視光カメラと近赤外光映像カメラの２台方式におけるリアルタイムな映像の的確な監視を行うことができる。また、フットスイッチ部３８によって、信号回路制御部３６から出力される処理指令の信号を受け、近赤外光映像データ記憶メモリ部２０や、可視光映像データ記憶メモリ部２２の何れか一方が、静止画データを記憶している場合には、静止画と動画を分割画面となるよう合成することもできる。
【００６２】
さらに、（４）映像データ処理部３２が、予め、映像データの混在表示を行う設定にされている場合には、フットスイッチ部３８によって、信号回路制御部３６から出力された処理指令の信号を受けると、図５に示すように、可視光映像データ４０と、近赤外光映像データ４２をピクチャーインピクチャー方式で混在画面となるよう合成し、映像データとして表示部３４に向けて出力処理するものである。
【００６３】
本処理でも同様に、映像データ処理部３２において、同期が取られていない近赤外光映像データと、可視光映像データを同期させることで、特に、従来から用いられている可視光カメラと近赤外光映像カメラの２台方式におけるリアルタイムな映像の的確な監視を行うことができる。また、フットスイッチ部３８によって、信号回路制御部３６から出力される処理指令の信号を受け、近赤外光映像データ記憶メモリ部２０や、可視光映像データ記憶メモリ部２２の何れか一方が、静止画データを記憶している場合には、静止画と動画を混在画面となるよう合成することもできる。
【００６４】
なお、上記の（３）や（４）の処理においては、それぞれの方式に対応して、近赤外光映像サイズ変更部２８は、近赤外光映像データのサイズ変更を、可視光映像サイズ変更部３０は、可視光映像データのサイズ変更を行うように設定しておくことができる。本実施形態においては、信号回路制御部３６から出力される処理指令の信号は、フットスイッチ部３８によるもので、全て、フットスイッチ部３８により、例えば、キャプチャーするタイミングや、映像データの重畳するタイミングが決まるもので、信号回路制御部３６は、フットスイッチ部３８の接点信号を処理指令の信号に変えるだけで、信号回路１８の各ブロックでの処理は、予め設定しておくものである。
【産業上の利用可能性】
【００６５】
本発明は、可視光映像と、近赤外光映像の合成表示（重畳や、ピクチャーインピクチャー等の２画面表示）や、可視光映像と、近赤外光映像の容易な切り替え表示（単独表示）が可能であり、また、リアルタイムの映像と、記録再生映像との合成や切り替えや、静止画と動画の合成や切り替えも可能であることから、特に、医療現場等において、好適に用いることができる。
【符号の説明】
【００６６】
１０  映像データ表示装置
１２  撮像装置
１４  近赤外光映像信号入力
１６  可視光映像信号入力
１８  信号回路
２０  近赤外光映像データ記憶メモリ部
２２  可視光映像データ記憶メモリ部
２４  近赤外光映像画質調整部
２６  可視光映像画質調整部
２８  近赤外光映像サイズ変更部
３０  可視光映像サイズ変更部
３２  映像データ処理部
３４  表示部
３６  信号回路制御部
３８  フットスイッチ部
４０  可視光映像データ
４２  近赤外光映像データ
４４  重畳合成映像データ
４６  記録装置
【図１】
2018130375.tif 000003
【図２】
2018130375.tif 000004
【図３】
2018130375.tif 000005
【図４】
2018130375.tif 000006
【図５】
2018130375.tif 000007
【図６】
2018130375.tif 000008
【図７】
2018130375.tif 000009
【図８】
2018130375.tif 000010